(57)【要約】【課題】  釣り竿を安定して持ちやすく且つ、操作をし易くする把持具の提供。【解決手段】  取付部２から立ち上げ部４を上方に立ち上げ、その立ち上げ部４の上端に把持部５の後端を取り付け、把持部５を釣り竿１の先端側に向ける。【選択図】        図１
2007020412.tif 000002
【特許請求の範囲】
【請求項１】
釣り竿(1) の後端部に着脱自在に固定される取付部(2) と、
リール(3) からの釣り糸が挿通できる挿通部(4a)を開けて、その取付部(2) から上方に立ち上げられた立ち上げ部(4) と、
その立ち上げ部(4)を介して、釣り竿(1)の軸線方向の先端側に棒状に突出し、少なくともその先端から中間部にかけ、それらと釣り竿との間は空間により開放された把持部(5) と、
を具備する釣り竿の把持具。
【請求項２】
請求項１において、
前記立ち上げ部(4) の上端が把持部(5) の後端に接続され、その把持部(5) は、その先端側が釣り竿に対して上向きに傾斜された釣り竿の把持具。
【請求項３】
請求項２において、
前記取付部(2) が一対の半割り体(2a)(2b)からなり、締結具(6) を介してそれらが筒状に形成され、
一方の半割り体(2a)から一対の棒材(7) を互いに離間して立ち上げて前記立ち上げ部(4) とし、
その一対の棒材(7) の端部を前記把持部(5) の後端に一体に固定してなる釣り竿の把持具。
【請求項４】
請求項１または請求項２において、
前記立ち上げ部(4) がリール(3) と一体に設けられ、前記把持部(5) がリール(3) の上端から一体に突設された釣り竿の把持具。
【発明の詳細な説明】
【技術分野】
【０００１】
本発明は、リール付の釣り竿で大物の魚を釣る際、リールを回転しつつ、容易に釣り竿を上下できる把持具に関する。
【背景技術】
【０００２】
舟釣りなどで、大形の鯛等の魚を釣る際、電動リールや両軸受けリールが使用される。そして、大型の魚がかかった場合、竿の根元を一方の手で把持し、他方の手でリールを巻き上げることになる。竿の根元の側部を手で把持すると、親指側が上方に向き、そこにリールの糸が接触し、糸を巻き上げるたびに手に痛みを感じる。そこで通常、巻き上げに際しては竿の根元を下側から手で握っていた。すると力が入りにくくバランスを崩し、竿が振動することが多い。
【０００３】
従来、このような問題を取り除くため、特開平６−３８６５４号の竿保持補助具や特開平５−７４４５号の釣竿係止装置が提案されている。前者は、図７に示す如く、筒状の本体の下部に竿を挟持する一対の挟持板よりなる取付部２を設け、両者間を締め付けネジで固定し、本体の上端に逆Ｌ字状の把持部５を設け、その把持部５を竿の元側に突設していた。その把持部５はリールの上方に位置するとともに竿の根元部に平行に配置されている。
【０００４】
次に、後者の釣竿係止装置は、リールに並列させ、への字状に曲折された握り部材の一端を片持ち状に竿の根元部に挟持したものである。この握り部材は竿に対し、水平方向に突設されている。
【０００５】
【特許文献１】特開平６−３８６５４号公報
【特許文献２】特開平５−７４４５号公報
【発明の開示】
【発明が解決しようとする課題】
【０００６】
前者の竿保持補助具は、把持部５が竿尻側に突設され、それが竿に平行に位置している。この構造はその把持部５を握って持ち上げようとするとき、手が把持具５から滑って釣り竿を落とすおそれがある。それにより竿全体が水中に落下してしまう危険がある。更には把持部５がリールの上方に位置しているため、リールが邪魔をして把持し難いおそれがある。リールからより離れるように構成すれば、取り扱い難いものとなる。また、把持部は逆Ｌ字状に竿尻側に曲折しているため、前方からそれを把持することができない。即ち、把持の自由度に欠ける。
【０００７】
また、大物の魚を取り込む時、竿を上方に持ち上げるためには、竿尻を釣り人の腹に当て、それを上方に回動させる必要があるが、把持部と竿が平行であると、それを上方に持ち上げる力が加わり難い欠点がある。
【０００８】
そこで、本発明はこれらの欠点を取り除き、コンパクトで体裁がよく且つ、力が入りやすいとともに、仮に把持部から手が滑ったとしても、竿が落下することのない安全な釣り竿の把持具を提供することを課題とする。
【課題を解決するための手段】
【０００９】
請求項１に記載の本発明は、釣り竿(1) の後端部に着脱自在に固定される取付部(2) と、
リール(3) からの釣り糸が挿通できる挿通部(4a)を開けて、その取付部(2) から上方に立ち上げられた立ち上げ部(4) と、
その立ち上げ部(4)を介して、釣り竿(1)の軸線方向の先端側に棒状に突出し、少なくともその先端から中間部にかけ、それらと釣り竿との間は空間により開放された把持部(5) と、
を具備する釣り竿の把持具である。
【００１０】
請求項２に記載の本発明は、請求項１において、
前記立ち上げ部(4) の上端が把持部(5) の後端に接続され、その把持部(5) は、その先端側が釣り竿に対して上向きに傾斜された釣り竿の把持具である。
【００１１】
請求項３に記載の本発明は、請求項２において、
前記取付部(2) が一対の半割り体(2a)(2b)からなり、締結具(6) を介してそれらが筒状に形成され、
一方の半割り体(2a)から一対の棒材(7) を互いに離間して立ち上げて前記立ち上げ部(4) とし、
その一対の棒材(7) の端部を前記把持部(5)の後端に一体に固定してなる釣り竿の把持具である。
【００１２】
請求項４に記載の本発明は、請求項１または請求項２において、
前記立ち上げ部(4) がリール(3) と一体に設けられ、前記把持部(5) がリール(3) の上端から一体に突設された釣り竿の把持具である。
【発明の効果】
【００１３】
本発明の釣り竿の把持具は、その把持部５が立ち上げ部４を介して、釣り竿１の軸線方向先端側に棒状に突出し、少なくともその先端側から中間にかけ、それらと釣り竿との間が空間により開放されているから、その把持部５を瞬間的に把持できる。即ち、把持する方向の自由度が増し、先端側からも把持部５を把持することができる。
しかも、把持部５を把持している際に、手が滑っても、その手は立ち上げ部４で止まり、それがストッパー機能を有し、釣り竿を取り落とす危険がない。
それとともに把持部５は釣り竿１の軸線方向先端側に棒状に突出しているから、その把持部５を把持したときのバランスがよく、竿先に大きな荷重が加わっても左右に遥動することなく安定して把持することができる。即ち、大きな荷重が加わっても、把持部５にねじり力が加わることがない。
【００１４】
上記構成において、立ち上げ部４の上端を把持部５の後端に接続し、その把持部５の先端側を釣り竿に対して上向きに傾斜したものにおいては、把持部５がより把持しやすい。それとともに、構造が簡単で、デザイン性に優れた把持具となりうる。更に、把持部５の上向き傾斜によって、手首に加わる負担が少なくなる。そして竿先に大きな荷重が加わっても、竿尻を釣り人の腹に保持し、リールを巻き上げつつ、上昇させることが容易となる。また、把持部５の上向き傾斜は、把持部を引き上げる際、竿を竿尻側に引きつけ分力が無理なく加わり、竿尻を安定して釣り人の腹に支持させつつ、釣り竿を持ち上げることができる。そして、把持した手の反対側の手によってリールを容易に巻き取りうる。
【００１５】
上記構成において、取付部２を一対の半割体2a、2bで形成し、その一方の半割体2aから一対の棒材７を互いに離間して立ち上げて、立ち上げ部４を形成し、その一対の棒材７の端部を把持部５の後端に一体に固定したものにおいては、更に構造が簡単で、デザイン性のよい把持具を提供できる。それとともに、一対の棒材７間の挿通部４ａにリール３からの糸８を通すことができる。
【００１６】
上記構成において、立ち上げ部４をリール３と一体に設け、そのリール３の上端から把持部５を一体に突設することができる。この場合には、リール３の取り付け部を把持具の取り付け部と兼用することができる。それにより更にシンプルな把持具を提供できるとともに、デザイン性のよいリール一体型把持具となりうる。
【発明を実施するための最良の形態】
【００１７】
次に図面に基づいて本発明の各実施の形態につき説明する。図１は本発明の第１の実施の形態を示す斜視図であり、図６はその使用状態を示す説明図である。
この例の釣り竿の把持具は、取付部２と立ち上げ部４と把持部５とからなる。取付部２は、一対の半割体2a、2bからなり、その縁部にフランジ部が突設され、そのフランジ部にボルト孔が穿設され、そこに蝶ネジとナットからなる締結具６が取り付けられ、それにより釣り竿１の後端部に着脱自在に固定される。その取付部２には一対の棒材７の一端部がろう付け又は溶接等の手段により固定され、その中間部が取付部２の後方位置で立ち上げられ、他端部が把持部５内に挿入され、把持部５と立ち上げ部４とが一体に固定されたものである。
【００１８】
把持部５が樹脂材の場合には、一対の棒材７は、それにインサート成形される。また、一対の半割体2a、2bはそれを樹脂材で構成してもよい。何れにしても、把持部５の後端は立ち上げ部４の上端に固定され、それが釣り竿１の先端側に突設されている。把持部５は平面視でその軸線が釣り竿１に一致するとともに側面視において、釣り竿１は先端側に上向きに傾斜している。
【００１９】
（作用）
次に、この実施例の釣り竿の把持具の使用方法につき説明する。
この把持具は、図１および図６に示す如くリール３に隣接してその竿先側の後端部に取付部２が着脱自在に固定され、一対の棒材７間の挿通部４ａにリール３の糸８が挿通される。そして、その釣り竿が釣り船に取り付けた図示しない釣り竿支持具等に支持される。    次いで、魚が針にかかって竿が引き込まれると、釣人はその魚を図６のようにして取り込む。先ず、本発明の釣り竿把持具の把持部５を一方の手で把持し、その竿尻を釣り人の腹に支持させて、他方の手でリール３のハンドル９を掴む。そして、把持部５を上下に動かしつつハンドル９を回転し、糸８をリール３に巻き取る。
このとき、一方の手(左手)は把持部５を把持し、それが糸８の上方に位置しているため糸８が巻き取られても左手に糸が接触することがない。また、把持部５は釣り竿１に対し傾斜しているため、把持動作および上下動する動作が容易となる。
【００２０】
（他の実施例）
次に、図２は本発明の第２の実施の形態を示す釣り竿の把持具であって、これが図１のそれと異なる点は取付部２のみである。この取付部２は、上側の半割体2aの内面側に棒材７を嵌着する嵌着用凹溝2cが設けられている。そして、他は図１のものと同一である。
【００２１】
次に、図３は本発明の釣り竿把持具の第３の実施の形態を示し、この例は立ち上げ部４と把持部５と取付部２とがプラスチック材で一体に形成されたものである。そして、立ち上げ部４には糸８を挿通するための開口10（挿通部４ａ）が形成されている。また、把持部５は握り易いように指の幅に整合する凹凸がその下面側に僅かに形成されるとともに、把持部５の根元にはストッパー用の鍔部11が突設されている。
【００２２】
次に、図４は本発明の第４の実施の形態を示し、この例はリール３と釣り竿の把持具とが一体に形成されたものである。そして、把持具の取付部２はリール３のそれと兼用される。この例ではリール３の上端に立ち上げ部４が設けられ、その立ち上げ部４に把持部５の一端が固定されたものである。なお、この例では取付部２を半割体2a、2bで構成したが、これに代えて通常のリール３を釣り竿１に取り付ける他の公知の手段を採用することもできる。
【００２３】
次に、図５は本発明の更に他の実施の形態を示し、この例はリール３および釣り竿の把持具が合成樹脂成形体で一体に形成されたものである。そして、把持具の立ち上げ部４はリール３自体の立ち上げ部と兼用される。なお、この例においても取付部２を通常のリール３を釣り竿１に取り付ける他の公知の手段を採用することもできる。
【図面の簡単な説明】
【００２４】
【図１】本発明の第１の実施の形態を示す釣り竿の把持具の斜視説明図。
【図２】同第２の実施の形態を示す斜視説明図。
【図３】同第３の実施の形態を示す斜視説明図。
【図４】同第４の実施の形態を示す斜視説明図。
【００２５】
【図５】同第５の実施の形態を示す斜視説明図。
【図６】前記第１の実施の形態における使用状態を示す説明図。
【図７】従来型釣り竿の把持具の使用状態を示す説明図。
【符号の説明】
【００２６】
１  釣り竿
２  取付部
2a  半割体
2b  半割体
2c  嵌着用凹溝
【００２７】
３  リール
４  立ち上げ部
４ａ  挿通部
５  把持部
６  締結具
７  棒材  
【００２８】
８  糸
９  ハンドル
10  開口
11  鍔部  
【図１】
2007020412.tif 000003
【図２】
2007020412.tif 000004
【図３】
2007020412.tif 000005
【図４】
2007020412.tif 000006
【図５】
2007020412.tif 000007
【図６】
2007020412.tif 000008
【図７】
2007020412.tif 000009